(57)【要約】【課題】カッター軸と掻込ロータ軸を平行に軸装して切断部を構成する排稈カッターにあっては、株元部の排稈重量が大きく、株元直下位置への落下排出は行われ易いが、穂先側域への拡散排出は行われ難く、コンバイン走行幅にわたる均等な拡散排出を行い難い。【解決手段】切断部３の株元部前側に、切断わらを後側下方へ排出案内する案内板８を設け、この案内板８の下方に脱穀排塵機９の排風口１０をのぞませると共に、前記株元部側のリヤカバー部４と、この外側のサイドカバー部５との間の角部間隔部１１にわたって、内側下り傾斜面に形成の三角案内板１２を設けて、前記案内板８側から排出される株元切断わらを、前記排風口１０からこの三角案内板１２に向けて吹出して穂先側へ案内する排塵風にのせて、この拡散室７内を穂先側域へ拡散排出することを特徴とする排稈カッターの切断排出装置の構成とする。【選択図】図１
2010239938.tif 000002
【特許請求の範囲】
【請求項１】
カッター軸（１）と掻込ロータ軸（２）を平行に軸装する切断部（３）の下方に、後側のリヤカバー部（４）と左右両側のサイドカバー部（５）の排出カバー部（６）で覆う拡散室（７）を形成する排稈カッターの切断排出装置において、前記切断部（３）の株元部前側に、切断わらを後側下方へ排出案内する案内板（８）を設け、この案内板（８）の下方に脱穀排塵機（９）の排風口（１０）をのぞませると共に、前記株元部側のリヤカバー部（４）と、この外側のサイドカバー部（５）との間の角部間隔部（１１）にわたって、内側下り傾斜面に形成の三角案内板（１２）を設けて、前記案内板（８）側から排出される株元切断わらを、前記排風口（１０）からこの三角案内板（１２）に向けて吹出して穂先側へ案内する排塵風にのせて、この拡散室（７）内を穂先側域へ拡散排出することを特徴とする排稈カッターの切断排出装置。
【請求項２】
前記案内板（８）には、この案内板（８）を後側の株元側切断部（３）側へ押圧する付勢手段（１３）を設けたことを特徴とする請求項１に記載の排稈カッターの切断排出装置。
【請求項３】
前記案内板（８）の株元側端縁と、この排出カバー（６）の株元側サイドカバー部（５）との間には、適宜幅の切断わらを掻出可能の掻出間隔（１４）を形成し、この掻出間隔（１４）の前側下部に前記排風口（１０）をのぞませたことを特徴とする請求項１、又は２に記載の排稈カッターの切断排出装置。
【発明の詳細な説明】
【技術分野】
【０００１】
この発明は、コンバインの脱穀済排稈を受けて短く切断しながら、穀稈刈取跡の圃場面に均等屑に分散排出させる排稈カッターの切断排出装置に関する。
【背景技術】
【０００２】
コンバインの排稈カッターにおいて、脱穀排塵機の排風口をのぞませる拡散室内の株元部側の角部間隔部に、この排出カバーの株元側サイドカバーから後側のリヤカバー部にわたって円弧状曲面の送風ガイドを形成して、株元切断わらを穂先側域へ拡散排出する技術（例えば、特許文献１参照）が知られている。
【先行技術文献】
【特許文献】
【０００３】
【特許文献１】特開２００３−１３４９２６号公報（第１頁、図１）
【発明の概要】
【発明が解決しようとする課題】
【０００４】
カッター軸と掻込ロータ軸を平行に軸装して切断部を構成し、この切断部に排稈を沿わせるようにして供給しながら切断処理する排稈カッターの切断装置にあっては、株元部の排稈重量が大きく、株元直下位置への落下排出は行われ易いが、穂先側域への拡散排出は行われ難く、コンバイン走行幅にわたる均等な拡散排出を行い難い。前記引用技術のような円弧状曲面の送風ガイドを設けても、この送風ガイド直下への株元切断わらの落下量は多く、拡散排出を行い難い。
【課題を解決するための手段】
【０００５】
請求項１に記載の発明は、カッター軸１と掻込ロータ軸２を平行に軸装する切断部３の下方に、後側のリヤカバー部４と左右両側のサイドカバー部５の排出カバー部６で覆う拡散室７を形成する排稈カッターの切断装置において、前記切断部３の株元部前側に、切断わらを後側下方へ排出案内する案内板８を設け、この案内板８の下方に脱穀排塵機９の排風口１０をのぞませると共に、前記株元部側のリヤカバー部４と、この外側のサイドカバー部５との間の角部間隔部１１にわたって、内側下り傾斜面に形成の三角案内板１２を設けて、前記案内板８側から排出される株元切断わらを、前記排風口１０からこの三角案内板１２に向けて吹出して穂先側へ案内する排塵風にのせて、この拡散室７内を穂先側域へ拡散排出することを特徴とする排稈カッターの切断排出装置の構成とする。コンバインの脱穀排塵機９の駆動によって、排風口１０から拡散室７の三角案内板１２側へ向けて排風され、この三角案内板１２等に案内されて穂先側寄り下方へ送風案内される。上側の切断部に供給された排稈が短く切断されて下方の拡散室７へ落下されると、この拡散室７内の送風にのせられて穂先寄り域に拡散排出される。このような切断わらの拡散排出において、切断部の株元部側として切断された切断わらは、下方の案内板８に受けられて後側下方の三角案内板１２上面へ排出案内される。ここで前記排風口１０側から吹き出される送風によって穂先側域へ拡散排出される。この三角案内板１２は、排出カバー６の株元部側の角部間隔部１１において内側下り傾斜面に形成されるため、この傾斜面を長く形成し、傾斜下端縁部を穂先側へ向けて幅広く形成することができ、切断わらの穂先側への拡散排出を正確に、円滑に行わせる。
【０００６】
請求項２に記載の発明は、前記案内板８には、この案内板８を後側の株元側切断部３側へ押圧する付勢手段１３を設けたことを特徴とする。前記切断部３における排稈の切断作用において、切断わら量が多くなったり、切断わらが団塊状になって掻出されるようなときは、この案内板８が付勢手段１３に抗して下方へ押し開かれて、切断わらの落下排出を円滑に行わせる。又、この切断わらの少ないときは、案内板８の開きを小さくして、切断わらの排出案内角度を緩傾斜に維持して、三角案内板１２への排出案内を的確に行わせる。
【０００７】
請求項３に記載の発明は、前記案内板８の株元側端縁と、この排出カバー６の株元側サイドカバー部５との間には、適宜幅の切断わらを掻出可能の掻出間隔１４を形成し、この掻出間隔１４の前側下部に前記排風口１０をのぞませたことを特徴とする。前記切断部３で切断された切断わらは、下方の拡散室７に落下されて、この拡散室７を排風口１０から吹出されて三角案内板１２によって案内される送風によって、穂先側域へ拡散排出される。このとき、株元部の重く、太い切断わらの一部は、案内板８のない広く形成された掻出間隔１４下方へ落下されるが、この掻出間隔１４を前記排風口１０から後方へ直接吹出される風によって、三角案内板１２上面側へ吹き飛ばされる。この掻出間隔１４の形成、及びこの掻出間隔１４部を吹出す排風力によって、株元部切断わらの拡散排出を速やかに行わせることができる。
【発明の効果】
【０００８】
請求項１に記載の発明は、株元部側の重量、及び嵩の大きい切断わらを、切断部３下方の案内板８で後側下方の三角案内板１２上面へ排出案内させて、脱穀排塵機９の排風口１０からこの三角案内板１２上へ向けて吹出される送風にのせて、拡散室７の穂先側域へ拡散排出させるものであるから、この三角案内板１２の傾斜下端縁を穂先側へ向けて幅広く形成させて、切断わらの穂先部側への拡散排出を正確に、容易に行わせることができる。又、この拡散室７を形成する排出カバー６のリヤカバー部４とサイドカバー部５との間に形成される角部間隔部１１は、三角案内板１２で連結される形態であるから、前記重量の大きい切断わらや、排風口１０からの強い排塵風圧を受けても、剛性を高めて、簡単で安定した排出カバー６の構成とすることができる。
【０００９】
請求項２に記載の発明は、前記株元側の切断部３下側に、付勢手段１３によって閉じ側へ押圧される案内板８を設けて、この付勢手段１３による押圧力に抗して案内板８を押し開いて切断わらを落下排出させて、三角案内板１２へ排出案内させるため、株元部切断わらの三角案内板１２への排出案内を正確に行わせることができ、切断わら量が多くなって排出抵抗が大きくなると、付勢手段１３に抗する案内板８の開き回動を大きくして、切断部３からの切断わら排出を円滑に行わせることができ、切断わらの詰りを少なくすることができる。又、この案内板８は付勢手段１３によって切断部３の下側部に設けられるため、機体の振動等によって揺動、乃至振動し易い状態を維持して、切断わらの円滑な排出案内を行わせることができる。
【００１０】
請求項３に記載の発明は、前記切断部３で切断された株元部側の切断わらは、排風口１０から掻出間隔１４を経て三角案内板１２上面側へ直接吹出される風圧に案内されるため、案内板８の掻出間隔１４側縁部による切断わらの落下排出抵抗を少なくして、切断わらの拡散排出を速やかに円滑に行わせることができる。
【図面の簡単な説明】
【００１１】
【図１】排稈カッターの拡散室内部斜視図。
【図２】排稈カッターの背面図。
【図３】その側面図。
【図４】その拡散室部の平面図。
【発明を実施するための形態】
【００１２】
図面に基づいて、コンバインの脱穀装置１５は、刈取装置の後側に配置されて、刈取穀稈を搬送する搬送装置の後端部から供給される穀稈を受け継いで後方へ搬送するフィードチェン１６を有し、このフィードチェン１６で搬送される穀稈を、搬送口１７から扱胴１８を軸２０装する脱穀室１９内へ供給して後方へ搬送しながら脱穀作用を行わせる。この脱穀室１９の後端には排稈装置２１を穂先側後方へ向けて設け、脱穀された排稈を受け継いで後方へ搬送処理する形態である。この排稈装置２１の下側には脱穀物を選別する選別室２２を設け、この選別室２２の株元側に脱穀排塵機９を設けて、選別室２２内の吸引選別排塵物の排出、乃至排風作用を排風口１０から後方へ行わせることができる。
【００１３】
排稈カッターは、カッターディスク２３を配置するカッター軸１と、掻込ロータ２４を配置する掻込ロータ軸２とを平行軸装して、切断部３を構成するものである。これらカッター軸１、及び掻込ロータ軸２を軸装して稈身方向に長い箱形状のカッターボックス２５を、脱穀装置１５の排稈装置２１後端の選別室２２後側面に着脱可能に設ける。このカッターボックス２５の穂先側部には取付ピン２６を有して、この取付ピン２６の周りにカッターボックス２５を後方へ開回動させて、このカッターボックス２５の前面を開くことができる。又、このカッターボックス２５の株元側前面部にはフック２７を設けて、選別室２２側フレームのピン２８に係合することによって取付姿勢を固定することができる。
【００１４】
前記カッターボックス２５の上側には、排稈の稈身方向に沿う切替軸２９の周りに上下回動する切替板３０を設け、この切換板３０を下側へ回動することにより、前記排稈装置２１による排稈を、この切替板３０上面を越えてカッターボックス２５の後側へ搬送搬出させることができ、切替板３０を上側へ回動することにより、排稈装置２１により搬送される排稈を、この切替板３０の下面に案内させて、下側の切断部３へ送込案内する形態としている。
【００１５】
ここにおいて、カッター軸１と掻込ロータ軸２を平行に軸装する切断部３の下方に、後側のリヤカバー部４と左右両側のサイドカバー部５の排出カバー部６で覆う拡散室７を形成する排稈カッターにおいて、前記切断部３の株元部前側に、切断わらを後側下方へ排出案内する案内板８を設け、この案内板８の下方に脱穀排塵機９の排風口１０をのぞませると共に、前記株元部側のリヤカバー部４と、この外側のサイドカバー部５との間の角部間隔部１１にわたって、内側下り傾斜面に形成の三角案内板１２を設けて、前記案内板８側から排出される株元切断わらを、前記排風口１０からこの三角案内板１２に向けて吹出して穂先側へ案内する排塵風にのせて、この拡散室７内を穂先側域へ拡散排出することを特徴とする排稈カッターの切断排出装置の構成とする。コンバインの脱穀排塵機９の駆動によって、排風口１０から拡散室７の三角案内板１２側へ向けて排風され、この三角案内板１２等に案内されて穂先側寄り下方へ送風案内される。上側の切断部に供給された排稈が短く切断されて下方の拡散室７へ落下されると、この拡散室７内の送風にのせられて穂先寄り域に拡散排出される。このような切断わらの拡散排出において、切断部の株元部側として切断された切断わらは、下方の案内板８に受けられて後側下方の三角案内板１２上面へ排出案内される。ここで前記排風口１０側から吹き出される送風によって穂先側域へ拡散排出される。この三角案内板１２は、排出カバー６の株元部側の角部間隔部１１において内側下り傾斜面に形成されるため、この傾斜面を長く形成し、傾斜下端縁部を穂先側へ向けて幅広く形成することができ、切断わらの穂先側への拡散排出を正確に、円滑に行わせる。
【００１６】
又、前記案内板８には、この案内板８を後側の株元側切断部３側へ押圧する付勢手段１３を設けたことを特徴とする。前記切断部３における排稈の切断作用において、切断わら量が多くなったり、切断わらが団塊状になって掻出されるようなときは、この案内板８が付勢手段１３に抗して下方へ押し開かれて、切断わらの落下排出を円滑に行わせる。又、この切断わらの少ないときは、案内板８の開きを小さくして、切断わらの排出案内角度を緩傾斜に維持して、三角案内板１２への排出案内を的確に行わせる。
【００１７】
又、前記案内板８の株元側端縁と、この排出カバー６の株元側サイドカバー部５との間には、適宜幅の切断わらを掻出可能の掻出間隔１４を形成し、この掻出間隔１４の前側下部に前記排風口１０をのぞませたことを特徴とする。前記切断部３で切断された切断わらは、下方の拡散室７に落下されて、この拡散室７を排風口１０から吹出されて三角案内板１２によって案内される送風によって、穂先側域へ拡散排出される。このとき、株元部の重く、太い切断わらの一部は、案内板８のない広く形成された掻出間隔１４下方へ落下されるが、この掻出間隔１４を前記排風口１０から後方へ直接吹出される風によって、三角案内板１２上面側へ吹き飛ばされる。この掻出間隔１４の形成、及びこの掻出間隔１４部を吹出す排風力によって、株元部切断わらの拡散排出を速やかに行わせることができる。
【００１８】
前記カッターボックス２５の下側に排出カバー６を取付けて、拡散室７を構成する。この排出カバー６は、板金製、乃至樹脂板製等によって構成し、カッターボックス２５の外周面部から懸吊する。この拡散室７の前側面は、脱穀装置１５の選別室２２後壁３１が構成されるため、開放形態に構成して、平面視コ字状形態に形成している。又、株元側のサイドカバー部５は、下端縁部を穂先側へ位置させた傾斜形態として、この下端部には、ゴム板３２を取付けて圃場面に接近させている。
【００１９】
前記排出カバー６の角部間隔部１１に設ける三角案内板１２は、この株元側に位置するリヤカバー部４とサイドカバー部５との拡散室７内側面間にわたって、穂先側下方及び前側下方に下り傾斜面を形成するように設けられ、前後の傾斜板縁３３，３４を、サイドカバー部５、及びリヤカバー部４に溶接乃至ビス４５止め等で一体的に取付けて固定する。この三角案内板１２の傾斜角度は、切断わらの拡散域に応じて適宜に設定することができ、図例では、株元側の切断わらを機体の刈取走行幅の略センタラインＬ位置近くにまで案内させるように構成している。この三角案内板１２の下端縁３５は、サイドカバー部５の前部位置からリヤカバー部４のセンタラインＬ位置近くにわたって斜め方向に一直線状に形成される。この三角案内板１２によって三角錐形態に構成される排出カバー６の角部間隔部１１の剛性を高めることができる。
【００２０】
前記拡散室７の株元部側前側位置に、脱穀排塵機９の排風口１０を、後側下方に向けてのぞませて、この排風口１０に対向する三角案内板１２上面に向けて吹き出すことができる。又、この排風口１０はこの株元側のサイドカバー部５の内側面に接近した位置に開口させて、切断部３の株元側端部で切断排出される株元切断わらを穂先側域へ吹飛ばすものである。
【００２１】
前記カッターボックス２５の株元部側で、切断部３の前側下部に、適宜幅、及び高さの案内板８を懸吊して、この案内板８の下端縁３６を前記三角案内板１２上にのぞませるように形成する。この案内板８の上端はヒンジ３７を介してカッターボックス２５のフロントカバー３８に取付けられて、同じくこのフロントカバー３８に取付けた付勢手段となる板バネ１３によって、切断部３側へ押圧させる構成としている。この案内板８は、後側上方の切断部３から切り飛ばされる株元切断わらを受けて後側下方へ案内させるもので、切断部３との間に適宜の切落間隔３９を形成し、又、下端縁３６部を屈曲、乃至湾曲させて、緩傾斜面に形成している。
この案内板８は、株元側のサイドカバー部５、及びカッターボックス２５の株元側のサイドカバー４０との間に適宜幅の掻出間隔１４を形成して、この掻出間隔１４から株元切断わらが直接前記排風口１０対向後部に落下し易くして、この吹出風力による株元切断わらの吹飛作用を受け易くする。
【００２２】
前記株元側のサイドカバー部５が内側へ傾斜する形態では、このサイドカバー部５の内方に設ける案内板８の側端縁４１との間隔が狭くなるため、切断わらの排出の抵抗となり易くなる。これを防止するため、この案内板８の側端縁４１を内側下方へ傾斜させて、サイドカバー部５との間隔を広く形成する。これら案内板８の側端縁４１とサイドカバー部５との間を落下、乃至飛散される切断わらがあっても、この切断わらの抵抗、乃至詰り等をなくして、穂先側への拡散排出を円滑に行わせることができる。
【００２３】
前記案内板８の下端縁３６の裏面側（前面側）には丸棒からなるウエイト４２を固定して、この案内板８を機体の振動や揺動等によってヒンジ３７周りに回動揺動し易く構成して、この案内板８の揺動によって付着しようとする泥土や、わら屑等の附着を防止する構成としている。
【符号の説明】
【００２４】
１    カッター軸
２    ロータ軸
３    切断部
４    リヤカバー部
５    サイドカバー部
６    排出カバー部
７    拡散室
８    案内板
９    脱穀排塵機
１０  排風口
１１  角部間隔部
１２  三角案内板
１３  付勢手段（バネ）
１４  掻出間隔
【図１】
2010239938.tif 000003
【図２】
2010239938.tif 000004
【図３】
2010239938.tif 000005
【図４】
2010239938.tif 000006